(57)【要約】  本発明の無線通信装置は、複数のチャネルの中から他の無線通信装置が割り当てたチャネルにて信号を受信する無線通信装置において、複数のチャネルの中から割り当ての候補となる要求チャネルを選択し、前回の選択の結果から今回の選択の結果への差分を求め、前記差分を表す差分情報を生成する更新チャネル選択部と、更新チャネル選択部が生成した差分情報を、他の無線通信装置に送信する送信信号に多重化するマルチプレクス部とを具備する。
2008035706.tif 000002
【特許請求の範囲】
【請求項１】
複数のチャネルの中から他の無線通信装置が割り当てたチャネルにて信号を受信する無線通信装置において、
前記複数のチャネルの中から割り当ての候補となる要求チャネルを選択し、所定のチャネルの組から今回の選択の結果への差分を求め、前記差分を表す差分情報を生成する更新チャネル選択部と、
前記更新チャネル選択部が生成した差分情報を、前記他の無線通信装置に送信する送信信号に多重化するマルチプレクス部と
を具備する無線通信装置。
【請求項２】
前記更新チャネル選択部は、前記複数のチャネルの中から割り当ての候補となる要求チャネルを選択し、前回の選択の結果から今回の選択の結果への差分を求め、前記差分を表す差分情報を生成する請求項１に記載の無線通信装置。
【請求項３】
前記更新チャネル選択部は、前記複数のチャネルの中から割り当ての候補となる要求チャネルを選択し、前記他の無線通信装置が割り当てているチャネルの組から前記選択した要求チャネルの組への差分を求め、前記求めた差分を表す差分情報を生成する請求項１に記載の無線通信装置。
【請求項４】
前記差分情報は、削除されるチャネルを表す情報を含み、前記削除されるチャネルの情報としては、差分を求める際の比較元のチャネル構成内で一意となる識別情報を用いる請求項１に記載の無線通信装置。
【請求項５】
前記他の無線通信装置において前記要求チャネルの識別情報各々が記憶されたバッファ領域の識別情報を、前記他の無線通信装置からの受信信号より分離するバッファ識別分離部を具備し、
前記更新チャネル選択部は、前記差分情報のうちで削除されたチャネルを表す情報に、前記バッファ識別分離部が分離した識別情報を用いる
請求項１に記載の無線通信装置。
【請求項６】
前記他の無線通信装置において前記割り当てたられたチャネル各々が記憶されたバッファ領域の識別情報を、前記他の無線通信装置からの受信信号より分離するバッファ識別分離部を具備し、
前記更新チャネル選択部は、前記差分情報のうちで削除されたチャネルを表す情報に、前記バッファ識別分離部が分離した識別情報を用いる
請求項３に記載の無線通信装置。
【請求項７】
各チャネルの受信品質を測定する受信品質測定部を具備し、
前記更新チャネル選択部は、前記受信品質測定部の測定結果に基づき、要求チャネルを選択する請求項１に記載の無線通信装置。
【請求項８】
前記更新チャネル選択部は、前記差分のうちで追加されたチャネルの受信品質を前記受信品質測定部が測定した受信品質から抽出し、
前記マルチプレクス部は、前記差分情報とともに、前記更新チャネル選択部が抽出した受信品質を表す情報を、前記送信信号に多重化する
請求項７に記載の無線通信装置。
【請求項９】
前記更新チャネル選択部は、前記選択した要求チャネルの受信品質を前記受信品質測定部が測定した受信品質から抽出し、
前記マルチプレクス部は、前記差分情報とともに、前記更新チャネル選択部が抽出した受信品質を表す情報を、前記送信信号に多重化する
請求項７に記載の無線通信装置。
【請求項１０】
前記更新チャネル選択部は、前記選択した要求チャネルの受信品質を前記受信品質測定部が測定した受信品質から抽出して、前記抽出した受信品質の平均値を算出し、
前記マルチプレクス部は、前記差分情報とともに、前記更新チャネル選択部が算出した受信品質の平均値を表す情報を、前記送信信号に多重化する
請求項７に記載の無線通信装置。
【請求項１１】
複数のチャネルの中から他の無線通信装置に割り当てたチャネルにて、前記他の無線通信装置に信号を送信する無線通信装置において、
前記他の無線通信装置から受信した受信信号より、前記他の無線通信装置に割り当てるチャネルの候補となる要求チャネルの組と前回の要求チャネルの組との差分を表す差分情報を分離するデマルチプレクス部と、
前記差分情報に基づき要求チャネルの組を再構成する要求チャネル再構成部と、
前記要求チャネル再構成部が再構成した要求チャネルの組に基づいて、前記他の無線通信装置に割り当てるチャネルを選択するスケジューラ部と
を具備する無線通信装置。
【請求項１２】
前記要求チャネル再構成部は、前記再構成した組の各要求チャネルの識別情報をバッファ領域に格納し、要求チャネルの組を再構成する際に、前回の再構成時に前記バッファ領域に格納された各要求チャネルの識別情報を用い、
前記各要求チャネルの識別情報が記憶されたバッファ領域各々の識別情報を、前記他の無線通信装置への送信信号に多重化するマルチプレクス部を具備する
請求項１１に記載の無線通信装置。
【請求項１３】
複数のチャネルの中から他の無線通信装置に割り当てたチャネルにて、前記他の無線通信装置に送信する無線通信装置において、
前記他の無線通信装置から受信した受信信号より、前記他の無線通信装置に割り当てるチャネルの候補となる要求チャネルの組と前回の前記他の無線通信装置に割り当てたチャネルの組との差分を表す差分情報を分離するデマルチプレクス部と、
前記差分情報に基づき要求チャネルの組を再構成する要求チャネル再構成部と、
前記要求チャネル再構成部が再構成した要求チャネルの組に基づいて、前記他の無線通信装置に割り当てるチャネルを選択するスケジューラ部と
を具備する無線通信装置。
【請求項１４】
前記要求チャネル再構成部は、前記スケジューラ部が前記他の無線通信装置に割り当てた各チャネルの識別情報をバッファ領域に格納し、要求チャネルの組を再構成する際に、前記バッファ領域が格納している各チャネルの識別情報を用い、
前記各チャネルの識別情報が記憶されたバッファ領域各々の識別情報を、前記他の無線通信装置への送信信号に多重化するマルチプレクス部を具備する
請求項１３に記載の無線通信装置。
【請求項１５】
第１の無線通信装置と複数のチャネルの中から前記第１の無線通信装置が割り当てたチャネルにて信号を受信する第２の無線通信装置とからなる無線通信システムにおいて、
前記第２の無線通信装置は、
前記複数のチャネルの中から割り当ての候補となる要求チャネルを選択し、前回の選択の結果から今回の選択の結果への差分を求め、前記求めた差分を表す差分情報を生成する更新チャネル選択部と、
前記更新チャネル選択部が生成した差分情報を、前記第１の無線通信装置に送信する送信信号に多重化するマルチプレクス部と
を具備し、
前記第１の無線通信装置は、
前記第２の無線通信装置からの受信信号より、前記差分情報を分離するデマルチプレクス部と、
前記デマルチプレクス部が分離した差分情報に基づき要求チャネルの組を再構成する要求チャネル再構成部と、
前記要求チャネル再構成部が再構成した要求チャネルの組に基づいて、前記第２の無線通信装置に割り当てるチャネルを選択するスケジューラ部と
を具備する
無線通信システム。
【請求項１６】
第１の無線通信装置と複数のチャネルの中から前記第１の無線通信装置により割り当てられたチャネルを受信する第２の無線通信装置とからなる無線通信システムにおいて、
前記第２の無線通信装置は、
前記複数のチャネルの中から割り当ての候補となる要求チャネルを選択し、前記第１の無線通信装置が割り当てているチャネルの組から前記選択した要求チャネルの組への差分を求め、前記求めた差分を表す差分情報を生成する更新チャネル選択部と、
前記更新チャネル選択部が生成した差分情報を、前記第１の無線通信装置に送信する送信信号に多重化するマルチプレクス部と
を具備し、
前記第１の無線通信装置は、
前記第２の無線通信装置からの受信信号より、前記差分情報を分離するデマルチプレクス部と、
前記デマルチプレクス部が分離した差分情報に基づき要求チャネルの組を再構成する要求チャネル再構成部と、
前記要求チャネル再構成部が再構成した要求チャネルの組に基づいて、前記第２の無線通信装置に割り当てるチャネルを選択するスケジューラ部と
を具備する
無線通信システム。
【請求項１７】
第１の無線通信装置と複数のチャネルの中から前記第１の無線通信装置が割り当てたチャネルにて信号を受信する第２の無線通信装置とからなる無線通信システムにおける無線通信方法であって、
前記第２の無線通信装置が、前記複数のチャネルの中から割り当ての候補となる要求チャネルを選択し、前回の選択の結果から今回の選択の結果への差分を求め、前記求めた差分を表す差分情報を生成する第１の過程と、
前記第２の無線通信装置が、前記第１の過程にて生成された差分情報を、送信信号に多重化し、前記送信信号を前記第１の無線通信装置に送信する第２の過程と、
前記第１の無線通信装置が、前記第２の過程にて送信された信号を受信し、前記第２の過程にて送信された信号から前記差分情報を分離する第３の過程と、
前記第１の無線通信装置が、前記第３の過程にて分離された差分情報に基づき要求チャネルの組を再構成する第４の過程と、
前記第１の無線通信装置が、前記第４の過程にて再構成された要求チャネルの組に基づいて、前記第２の無線通信装置に割り当てるチャネルを選択する第５の過程と、
前記第１の無線通信装置が、前記第５の過程にて選択されたチャネルにて、前記第２の無線通信装置への送信データを送信する第６の過程と
を具備する無線通信方法。
【請求項１８】
第１の無線通信装置と複数のチャネルの中から前記第１の無線通信装置が割り当てたチャネルにて信号を受信する第２の無線通信装置とからなる無線通信システムにおける無線通信方法であって、
前記第２の無線通信装置が、前記複数のチャネルの中から割り当ての候補となる要求チャネルを選択し、前記第１の無線通信装置が割り当てているチャネルの組から今回の選択の結果への差分を求め、前記求めた差分を表す差分情報を生成する第１の過程と、
前記第２の無線通信装置が、前記第１の過程にて生成された差分情報を、送信信号に多重化し、前記送信信号を前記第１の無線通信装置に送信する第２の過程と、
前記第１の無線通信装置が、前記第２の過程にて送信された信号を受信し、前記第２の過程にて送信された信号から前記差分情報を分離する第３の過程と、
前記第１の無線通信装置が、前記第３の過程にて分離された差分情報に基づき要求チャネルの組を再構成する第４の過程と、
前記第１の無線通信装置が、前記第４の過程にて再構成された要求チャネルの組に基づいて、前記第２の無線通信装置に割り当てるチャネルを選択する第５の過程と、
前記第１の無線通信装置が、前記第５の過程にて選択されたチャネルにて、前記第２の無線通信装置への送信データを送信する第６の過程と
を具備する無線通信方法。
【発明の詳細な説明】
【技術分野】
【０００１】
本発明は、無線通信装置、無線通信システムおよび無線通信方法にかかわり、特にリバースリンクにて通知された情報に基づき複数のチャネルの中から割り当てたチャネルにて、データを送受信する無線通信装置、無線通信システムおよび無線通信方法に関する。
本願は、２００６年９月２０日に、日本に出願された特願２００６−２５４５７０号に基づき優先権を主張し、その内容をここに援用する。
【背景技術】
【０００２】
現在、移動通信システムにおいてはデータ通信の需要が高まっており、データ通信の増加に伴い、高い周波数利用効率が得られる様々な技術が提案されている。
周波数利用効率を高める可能性を持った技術の一つにＯＦＤＭＡ（Orthogonal Frequency Division Multiple Access：直交周波数分割多元接続）という技術がある。これは、通信する際の変調方式がＯＦＤＭ（Orthogonal Frequency Division Multiplexing：直交周波数分割多重）であり、アクセス方式がＴＤＭＡ（Time Division Multiple Access：時分割多元接続）、ＦＤＭＡ（Frequency Division Multiple Access：周波数分割多元接続）を使用しているという技術である。孤立セルでは、セルエリアと共通の無線インターフェースを持ちながら、より高速なデータ通信が実現できる通信方式である。【０００３】
ＯＦＤＭＡシステムのスケジューリングとして、Ｗ−ＣＤＭＡ（Wideband-Code Division Multiple Access）移動通信システムにおける下り高速パケット伝送方式（ＨＳＤＰＡ：High Speed Downlink Packet Access）では、通信端末装置がすべてのサブキャリアにおける下り回線状態を示す情報であるＣＱＩ（Channel Quality Indicator：受信品質情報）を基地局装置に報告し、基地局装置は各通信端末装置から報告されたすべてのサブキャリアの受信品質情報ＣＱＩに基づいて、パケットのスケジューリングを行なうという方法が提案されている（例えば、非特許文献１）。
同様に、複数の副搬送波を用いるＯＦＤＭＡシステムにおける送信データのスケジューリングにおいて、通信端末装置で下りの各チャネル状態（周波数特性）を評価し、上りのフィードバックチャネルを用いて各チャネル状態を量子化した情報を基地局装置に報告し、基地局装置は報告された情報に基づいて各通信端末装置に割り振る副搬送波を決定するという発明が公開されている（例えば、特許文献１）。【０００４】
さらに、ＯＦＤＭＡシステムにおける受信品質のフィードバック方法として、受信機は受信品質が上位の複数のサブキャリアを選択し、当該複数のサブキャリアを示す情報と前記複数のサブキャリアの受信品質の平均値を送信機に報告することにより、フィードバック情報量を軽減し、通信端末装置から基地局装置へのリバースリンクのオーバヘッドを抑制する方法が提案されている（例えば、特許文献２）。
また、ＯＦＤＭシステムにおいて、伝送品質の悪いキャリアを使用しないために、受信機は伝送品質の悪いキャリアを指定し、そのキャリアの周波数情報あるいはキャリアの番号を基地局に報告する方法も提案されている（例えば、特許文献３、特許文献４）。
【特許文献１】特開２００５−１３０４９１号公報
【特許文献２】特開２００４−２０８２３４号公報
【特許文献３】特開２００１−１４８６８２号公報
【特許文献４】特開２００４−１４７０６８号公報
【非特許文献１】“Comments on frequency scheduling and joint power and rate optimization for OFDM”、3GPP、 TSG RAN WG1 Meeting ＃29、 R-02-1321、２００２年１１月
【発明の開示】
【発明が解決しようとする課題】
【０００５】
しかしながら、広帯域通信などにおいては、チャネル数が非常に多いためにチャネルを識別する識別情報の情報量（ビット数）も大きくなり、複数のチャネルの識別情報とそのチャネルにおける受信品質情報を端末装置から基地局装置にフィードバックすると、通信端末装置から基地局装置へのリバースリンク（上りリンク）の通信容量を逼迫するという問題がある。【０００６】
本発明は、このような事情に鑑みてなされたもので、その目的は、リバースリンクの通信容量を圧迫しないように、リバースリンクにてフィードバックする情報量が抑制された無線通信装置、無線通信システムおよび無線通信方法を提供することにある。
【課題を解決するための手段】
【０００７】
この発明は上述した課題を解決するためになされたもので、本発明の無線通信装置は、複数のチャネルの中から他の無線通信装置が割り当てたチャネルにて信号を受信する無線通信装置において、前記複数のチャネルの中から割り当ての候補となる要求チャネルを選択し、所定のチャネルの組から今回の選択の結果への差分を求め、前記差分を表す差分情報を生成する更新チャネル選択部と、前記更新チャネル選択部が生成した差分情報を、前記他の無線通信装置に送信する送信信号に多重化するマルチプレクス部とを具備する。【０００８】
これにより、本発明の無線通信装置は、所定のチャネルと今回の要求チャネルとの差分を表す差分情報を、リバースリンクを介して他の無線通信装置にフィードバックするので、フィードバックする情報量を抑制することができる。【０００９】
本発明の無線通信装置において、前記更新チャネル選択部は、前記複数のチャネルの中から割り当ての候補となる要求チャネルを選択し、前回の選択の結果または前記他の無線通信装置が割り当てているチャネルの組から前記選択した要求チャネルの組への差分を求め、前記求めた差分を表す差分情報を生成するようにしてもよい。【００１０】
これにより、本発明の無線通信装置は、前回の要求チャネルまたは他の無線通信装置が割り当てているチャネルと今回の要求チャネルとの差分を表す差分情報を、リバースリンクを介して他の無線通信装置にフィードバックするので、フィードバックする情報量を抑制することができる。【００１１】
また、本発明の無線通信装置において、前記差分情報は、削除されるチャネルを表す情報を含み、前記削除されるチャネルの情報としては、差分を求める際の比較元のチャネル構成内で一意となる識別情報を用いてもよい。【００１２】
これにより、本発明の無線通信装置は、差分情報のうち、削除されるチャネルの識別情報の情報量を抑制することができるので、フィードバックする情報量をさらに抑制することができる。【００１３】
また、本発明の無線通信装置において、前記他の無線通信装置において前記要求チャネルの識別情報各々が記憶されたバッファ領域の識別情報を、前記他の無線通信装置からの受信信号より分離するバッファ識別分離部を具備してもよく、前記更新チャネル選択部は、前記差分情報のうちで削除されたチャネルを表す情報に、前記バッファ識別分離部が分離した識別情報を用いてもよい。【００１４】
また、本発明の無線通信装置において、前記他の無線通信装置において前記割り当てたられたチャネル各々が記憶されたバッファ領域の識別情報を、前記他の無線通信装置からの受信信号より分離するバッファ識別分離部を具備してもよく、前記更新チャネル選択部は、前記差分情報のうちで削除されたチャネルを表す情報に、前記バッファ識別分離部が分離した識別情報を用いてもよい。【００１５】
また、本発明の無線通信装置において、各チャネルの受信品質を測定する受信品質測定部を具備してもよく、前記更新チャネル選択部は、前記受信品質測定部の測定結果に基づき、要求チャネルを選択してもよい。【００１６】
また、本発明の無線通信装置において、前記更新チャネル選択部は、前記差分のうちで追加されたチャネルの受信品質を前記受信品質測定部が測定した受信品質から抽出してもよく、前記マルチプレクス部は、前記差分情報とともに、前記更新チャネル選択部が抽出した受信品質を表す情報を、前記送信信号に多重化してもよい。【００１７】
また、本発明の無線通信装置において、前記更新チャネル選択部は、前記選択した要求チャネルの受信品質を前記受信品質測定部が測定した受信品質から抽出してもよく、前記マルチプレクス部は、前記差分情報とともに、前記更新チャネル選択部が抽出した受信品質を表す情報を、前記送信信号に多重化してもよい。【００１８】
また、本発明の無線通信装置において、前記更新チャネル選択部は、前記選択した要求チャネルの受信品質を前記受信品質測定部が測定した受信品質から抽出して、前記抽出した受信品質の平均値を算出してもよく、前記マルチプレクス部は、前記差分情報とともに、前記更新チャネル選択部が算出した受信品質の平均値を表す情報を、前記送信信号に多重化してもよい。【００１９】
また、本発明の無線通信装置は、複数のチャネルの中から他の無線通信装置に割り当てたチャネルにて、前記他の無線通信装置に信号を送信する無線通信装置において、前記他の無線通信装置から受信した受信信号より、前記他の無線通信装置に割り当てるチャネルの候補となる要求チャネルの組と前回の要求チャネルの組との差分を表す差分情報を分離するデマルチプレクス部と、前記差分情報に基づき要求チャネルの組を再構成する要求チャネル再構成部と、前記要求チャネル再構成部が再構成した要求チャネルの組に基づいて、前記他の無線通信装置に割り当てるチャネルを選択するスケジューラ部とを具備する。【００２０】
また、本発明の無線通信装置において、前記要求チャネル再構成部は、前記再構成した組の各要求チャネルの識別情報をバッファ領域に格納し、要求チャネルの組を再構成する際に、前回の再構成時に前記バッファ領域に格納された各要求チャネルの識別情報を用いてもよく、前記各要求チャネルの識別情報が記憶されたバッファ領域各々の識別情報を、前記他の無線通信装置への送信信号に多重化するマルチプレクス部を具備してもよい。【００２１】
また、本発明の無線通信装置は、複数のチャネルの中から他の無線通信装置に割り当てたチャネルにて、前記他の無線通信装置に送信する無線通信装置において、前記他の無線通信装置から受信した受信信号より、前記他の無線通信装置に割り当てるチャネルの候補となる要求チャネルの組と前回の前記他の無線通信装置に割り当てたチャネルの組との差分を表す差分情報を分離するデマルチプレクス部と、前記差分情報に基づき要求チャネルの組を再構成する要求チャネル再構成部と、前記要求チャネル再構成部が再構成した要求チャネルの組に基づいて、前記他の無線通信装置に割り当てるチャネルを選択するスケジューラ部とを具備する。【００２２】
また、本発明の無線通信装置において、前記要求チャネル再構成部は、前記スケジューラ部が前記他の無線通信装置に割り当てた各チャネルの識別情報をバッファ領域に格納し、要求チャネルの組を再構成する際に、前記バッファ領域が格納している各チャネルの識別情報を用いてもよく、前記各チャネルの識別情報が記憶されたバッファ領域各々の識別情報を、前記他の無線通信装置への送信信号に多重化するマルチプレクス部を具備してもよい。【００２３】
本発明の無線通信システムは、第１の無線通信装置と複数のチャネルの中から前記第１の無線通信装置が割り当てたチャネルにて信号を受信する第２の無線通信装置とからなる無線通信システムにおいて、前記第２の無線通信装置は、前記複数のチャネルの中から割り当ての候補となる要求チャネルを選択し、前回の選択の結果から今回の選択の結果への差分を求め、前記求めた差分を表す差分情報を生成する更新チャネル選択部と、前記更新チャネル選択部が生成した差分情報を、前記第１の無線通信装置に送信する送信信号に多重化するマルチプレクス部とを具備し、前記第１の無線通信装置は、前記第２の無線通信装置からの受信信号より、前記差分情報を分離するデマルチプレクス部と、前記デマルチプレクス部が分離した差分情報に基づき要求チャネルの組を再構成する要求チャネル再構成部と、前記要求チャネル再構成部が再構成した要求チャネルの組に基づいて、前記第２の無線通信装置に割り当てるチャネルを選択するスケジューラ部とを具備する。【００２４】
また、本発明の無線通信システムは、第１の無線通信装置と複数のチャネルの中から前記第１の無線通信装置により割り当てられたチャネルを受信する第２の無線通信装置とからなる無線通信システムにおいて、前記第２の無線通信装置は、前記複数のチャネルの中から割り当ての候補となる要求チャネルを選択し、前記第１の無線通信装置が割り当てているチャネルの組から前記選択した要求チャネルの組への差分を求め、前記求めた差分を表す差分情報を生成する更新チャネル選択部と、前記更新チャネル選択部が生成した差分情報を、前記第１の無線通信装置に送信する送信信号に多重化するマルチプレクス部とを具備し、前記第１の無線通信装置は、前記第２の無線通信装置からの受信信号より、前記差分情報を分離するデマルチプレクス部と、前記デマルチプレクス部が分離した差分情報に基づき要求チャネルの組を再構成する要求チャネル再構成部と、前記要求チャネル再構成部が再構成した要求チャネルの組に基づいて、前記第２の無線通信装置に割り当てるチャネルを選択するスケジューラ部とを具備する。【００２５】
本発明の無線通信方法は、第１の無線通信装置と複数のチャネルの中から前記第１の無線通信装置が割り当てたチャネルにて信号を受信する第２の無線通信装置とからなる無線通信システムにおける無線通信方法であって、前記第２の無線通信装置が、前記複数のチャネルの中から割り当ての候補となる要求チャネルを選択し、前回の選択の結果から今回の選択の結果への差分を求め、前記求めた差分を表す差分情報を生成する第１の過程と、前記第２の無線通信装置が、前記第１の過程にて生成された差分情報を、送信信号に多重化し、前記送信信号を前記第１の無線通信装置に送信する第２の過程と、前記第１の無線通信装置が、前記第２の過程にて送信された信号を受信し、前記第２の過程にて送信された信号から前記差分情報を分離する第３の過程と、前記第１の無線通信装置が、前記第３の過程にて分離された差分情報に基づき要求チャネルの組を再構成する第４の過程と、前記第１の無線通信装置が、前記第４の過程にて再構成された要求チャネルの組に基づいて、前記受信側に割り当てるチャネルを選択する第５の過程と、前記第１の無線通信装置が、前記第５の過程にて選択されたチャネルにて、前記第２の無線通信装置への送信データを送信する第６の過程とを具備する。【００２６】
また、本発明の無線通信方法は、第１の無線通信装置と複数のチャネルの中から前記第１の無線通信装置が割り当てたチャネルにて信号を受信する第２の無線通信装置とからなる無線通信システムにおける無線通信方法であって、前記第２の無線通信装置が、前記複数のチャネルの中から割り当ての候補となる要求チャネルを選択し、前記送信側が割り当てているチャネルの組から今回の選択の結果への差分を求め、前記求めた差分を表す差分情報を生成する第１の過程と、前記第２の無線通信装置が、前記第１の過程にて生成された差分情報を、送信信号に多重化し、前記送信信号を前記第１の無線通信装置に送信する第２の過程と、前記第１の無線通信装置が、前記第２の過程にて送信された信号を受信し、前記第２の過程にて送信された信号から前記差分情報を分離する第３の過程と、前記第１の無線通信装置が、前記第３の過程にて分離された差分情報に基づき要求チャネルの組を再構成する第４の過程と、前記第１の無線通信装置が、前記第４の過程にて再構成された要求チャネルの組に基づいて、前記受信側に割り当てるチャネルを選択する第５の過程と、前記第１の無線通信装置が、前記第５の過程にて選択されたチャネルにて、前記第２の無線通信装置への送信データを送信する第６の過程とを具備する。
【発明の効果】
【００２７】
この発明によれば、リバースリンクにてフィードバックする情報において、チャンネル割り当ての候補となる要求チャネルの指定を、差分情報を用いて行うので、リバースリンクにてフィードバックする情報量が抑制された無線受信装置、無線送信装置、無線通信システムおよび無線通信方法を提供することができる。
【図面の簡単な説明】
【００２８】
【図１】この発明の第１の実施形態による基地局装置１００の構成を示すブロック図である。
【図２】同実施形態における端末装置２００の構成を示すブロック図である。
【図３】同実施形態における報告情報生成部２１０の内部構成を示すブロック図である。
【図４】同実施形態における受信品質測定部２０９から通知された受信品質測定結果の一例を示す図である。
【図５】同実施形態における記憶部３０２に記憶されている複数の要求チャネル情報とそのチャネルにおける受信品質情報の一例を示す図である。
【図６】同実施形態における更新チャネル選択部３０１の動作を表すフローチャートである。
【図７】同実施形態における更新チャネル選択部３０１が出力する情報の一例を示す図である。
【図８】同実施形態における記憶部３０２の更新結果の一例を示す図である。
【図９】この発明の第２の実施形態による基地局装置９００の構成を示すブロック図である。
【図１０】同実施形態における端末装置１０００の構成を示すブロック図である。
【図１１】同実施形態における報告情報生成部１００１の内部構造を示すブロック図である。
【図１２】同実施形態における更新チャネル選択部３０１の動作を示すフローチャートである。
【図１３】この発明の第３の実施形態による更新チャネル選択部３０１の動作を示すフローチャートである。
【図１４】この発明の第４の実施形態による基地局装置１４００の構成を示すブロック図である。
【図１５】同実施形態における端末装置１５００の構成を示すブロック図である。
【図１６】同実施形態における報告情報生成部１５０１の内部構造を示すブロック図である。
【図１７】同実施形態における復調制御部１５０２が出力するバッファ番号情報の一例を示す図である。
【図１８】同実施形態における報告情報の一例を示す図である。
【図１９】この発明の第５の実施形態による基地局装置１９００の構成を示すブロック図である。
【図２０】同実施形態における端末装置２０００の構成を示すブロック図である。
【図２１】同実施形態における報告情報生成部２００１の内部構造を示すブロック図である。
【図２２】この発明の第７の実施形態による報告情報生成部２１０の内部構造を示すブロック図である。
【図２３】同実施形態における受信品質平均化部２２０１の出力の一例を示す図である。
【図２４】この発明の第８の実施形態による報告情報の一例を示す図である。
【符号の説明】
【００２９】
１００、９００、１４００、１９００  基地局装置
１０１  符号化部
１０２  マッピング部
１０３  マルチプレクス部
１０４  ＩＦＦＴ部
１０５  ＧＩ挿入部
１０６  Ｄ／Ａ変換部
１０７  無線送信部
１０８  アンテナ部
１０９  無線受信部
１１０  Ａ／Ｄ変換部
１１１  デマルチプレクス部
１１２  デマッピング部
１１３  復号化部
１１４、９０１  スケジューラ部
１１５、１４０２  通知情報生成部
１１６  パイロット生成部
１１７、９０２、１４０１、１９０１  バッファ部
２００、１０００、１５００、２０００  端末装置
２０１  アンテナ部
２０２  無線受信部
２０３  Ａ／Ｄ変換部
２０４  ＧＩ除去部
２０５  ＦＦＴ部
２０６  デマルチプレクス部
２０７  デマッピング部
２０８  復号化部
２０９  受信品質測定部
２１０、１００１、１５０１、２００１  報告情報生成部
２１１  符号化部
２１２  マッピング部
２１３  マルチプレクス部
２１４  Ｄ／Ａ変換部
２１５  無線送信部
２１６、１００２、１５０２、２００２  復調制御部
３０１、１６０１  更新チャネル選択部
３０２  記憶部
３０３、１６０３、２２０２  報告情報シンボル生成部
２２０１  受信品質平均化部
【発明を実施するための最良の形態】
【００３０】
以下の各実施形態の説明では、受信品質情報として変調方式と符号化率を示すＭＣＳ（Modulation and Coding Scheme）や伝送レートなどの変調パラメータを用いる場合を説明するが、受信品質情報は変調パラメータに限るものではない。例えば、ＣＩＮＲ（Carrier-to-Interference plus Noise power Ratio：搬送波対干渉波＋雑音電力比）、ＲＳＳＩ（Receive Signal Strength Indication）、ＳＮＲ（Signal to Noise power Ratio：信号対雑音電力比）、ＳＩＲ（Signal to Interference power Ratio：信号対干渉電力比）、ＳＩＮＲ（Signal to Interference plus Noise power Ratio：信号対干渉＋雑音電力比）、ＣＮＲ（Carrier to Noise power Ratio：搬送波対雑音電力比）、ＣＩＲ（Carrier to Interference power Ratio：搬送波対干渉波電力比）など受信信号電力や搬送波電力に関連して受信品質を示す指標などを用いても良い。
また、下記の各実施形態では、チャネルは一つあるいは複数のサブキャリアを意味しており、複数のチャネルにおけるスケジューリングに関して説明するが、本発明が適用できるチャネルは周波数領域のチャネルに限らず、例えばＳＤＭＡ（Space Division Multiple Access：空間分割多元接続）において固有モードが示す複数のチャネル、あるいはこれらの組み合わせとしてのチャネルなど、複数のチャネルを用いて通信を行なうシステムである。したがって、チャネル毎に受信品質が異なる可能性があるシステムにおいて、本発明を適用することができる。【００３１】
また、以下の各実施形態は、セルラーシステムを想定し、基地局装置から端末装置へのＯＦＤＭＡベースの下りリンクと端末装置から基地局装置へ報告情報をフィードバックするリバースリンク（上りリンク）について説明しているが、これに限られるものではない。二つの無線通信装置間で、チャネルを示す情報とそのチャネルにおける受信品質情報を報告する側（報告情報送信機能を有する側）を端末装置、報告されたチャネルを示す情報とそのチャネルにおける受信品質情報に基づいて、送信データを各チャネルに割り当てる側（割り当て機能を行う側）を基地局装置とする。一つの無線通信装置が両方の機能を有する場合もあり得る。
本明細書では、無線通信装置は、無線通信を行なう装置であり、基地局装置、端末装置、無線機、携帯端末装置、携帯電話等を含む。本発明は、複数の無線通信装置のいずれかが割り当て機能を実施し、他の無線通信装置が報告情報送信機能を実施することができる関係にある無線通信装置同士へ適用することができる。【００３２】
［第１の実施形態］
以下、図面を参照して、本発明の第１の実施形態について説明する。図１は、本実施形態における基地局装置１００の構成を示す概略ブロック図である。図２は、本実施形態における端末装置２００の構成を示す概略ブロック図である。
基地局装置１００は、符号化部１０１、マッピング部１０２、マルチプレクス部１０３、ＩＦＦＴ（Inverse Fast Fourier Transformation：逆高速フーリエ変換）部１０４、ＧＩ（Guard Interval：ガード期間）挿入部１０５、Ｄ／Ａ（Digital-to-Analog）変換部１０６、無線送信部１０７、アンテナ部１０８、無線受信部１０９、Ａ／Ｄ（Analog-to-Digital）変換部１１０、デマルチプレクス部１１１、デマッピング部１１２、復号化部１１３、スケジューラ部１１４、通知情報生成部１１５、パイロット生成部１１６、バッファ部（要求チャネル再構成部）１１７を有する。【００３３】
端末装置２００は、アンテナ部２０１、無線受信部２０２、Ａ／Ｄ変換部２０３、ＧＩ除去部２０４、ＦＦＴ（Fast Fourier Transformation：高速フーリエ変換）部２０５、デマルチプレクス部２０６、デマッピング部２０７、復号化部２０８、受信品質測定部２０９、報告情報生成部２１０、符号化部２１１、マッピング部２１２、マルチプレクス部２１３、Ｄ／Ａ変換部２１４、無線送信部２１５、復調制御部２１６を有する。【００３４】
まず、基地局装置１００が信号を送信して、その信号を端末装置２００が受信する手順を図１および図２を用いて説明する。
基地局装置１００では、符号化部１０１は、スケジューラ部１１４から通知される変調パラメータ情報およびスケジューリング情報に従い、入力された送信データに対して、誤り訂正符号化処理と変調処理を行い、その送信データのデータシンボル系列を生成する。マッピング部１０２は、スケジューラ部１１４から通知される変調パラメータ情報およびスケジューリング情報に従い、このデータシンボル系列をサブキャリアへ割り当てる。マルチプレクス部１０３は、マッピングされたデータシンボル系列と、通知情報生成部１１５で生成された通知情報用シンボル系列、およびパイロット生成部１１６で生成されたパイロットシンボル系列を多重する。ＩＦＦＴ部１０４は、各サブキャリアに割り当てられたシンボル系列をＩＦＦＴ処理して、時間軸の信号に変換し、変換された信号はＧＩ挿入部１０５に送られる。ＧＩ挿入部１０５は、ＩＦＦＴ部１０４で生成された信号にガード期間ＧＩを付加する。Ｄ／Ａ変換部１０６は、ガード期間ＧＩを付加された信号をアナログ信号に変換する。無線送信部１０７は、そのアナログ信号を、アップコンバートして、アンテナ部１０８より端末装置２００に送信する。【００３５】
端末装置２００では、基地局装置１００から送信された信号を、アンテナ部２０１を経て無線受信部２０２が受信する。Ａ／Ｄ変換部２０３は、無線受信部２０２が受信し、ダウンコンバートしたアナログ信号をデジタル信号に変換する。ＧＩ除去部２０４は、このデジタル信号からガード期間ＧＩを除去し、ガード期間ＧＩを除去した信号をＦＦＴ部２０５に送る。ＦＦＴ部２０５は、ＧＩ除去部２０４から受けた信号を高速フーリエ変換することにより、周波数領域のシンボル系列に変換する。デマルチプレクス部２０６は、ＦＦＴ部２０５から送られたシンボル系列から、パイロットシンボル系列、通知情報用シンボル系列、データシンボル系列を取り出し、それぞれ、パイロットシンボル系列を受信品質測定部２０９に送り、通知情報用シンボル系列を復調制御部２１６に送り、データシンボル系列をデマッピング部２０７に送る。復調制御部２１６は、通知情報用シンボル系列を復調して通知情報を得て、この通知情報から抽出したスケジューリング情報（端末装置２００宛の送信データに割り当てられたチャネルに関する情報）および変調パラメータ情報を、デマッピング部２０７と復号化部２０８に送る。デマッピング部２０７は、復調制御部２１６から送られたスケジューリング情報および変調パラメータ情報に従い、デマルチプレクス部２０６から送られたデータシンボル系列を復調する。復号化部２０８は、復調制御部２１６から送られたスケジューリング情報および変調パラメータ情報に従い、そのデータシンボル系列を復調したデータの誤り訂正符号を復号して受信データを取り出す。【００３６】
次に、端末装置２００が報告情報を基地局装置１００にフィードバックする手順を図１および図２を用いて説明する。
受信品質測定部２０９は、デマルチプレクス部２０６から送られたパイロットシンボル系列を用いて、各チャネルにおける受信品質を測定し、この受信品質測定結果を報告情報生成部２１０に送る。なお、本実施形態では、パイロットシンボルを用いて受信品質を測定する場合について説明するが、データシンボル系列を用いた受信品質測定を行う場合にも本発明は適用できることは勿論である。報告情報生成部２１０は、受信品質測定部２０９から送られた受信品質測定結果に基づいて、割り当ての候補となる要求チャネルを選択し、この要求チャネルに基づき基地局装置１００にフィードバックする報告情報（削除チャネル情報と追加チャネル情報および追加チャネルにおける受信品質情報）を生成し、この報告情報を変調して報告情報用シンボル系列を生成する。報告情報生成部２１０の詳細な説明に関しては後述する。マルチプレクス部２１３は、報告情報生成部２１０が生成した報告情報用シンボル系列と、符号化部２１１およびマッピング部２１２が送信データを誤り訂正符号化・変調して生成したデータシンボル系列とを多重して基地局装置１００へのフィードバック信号を生成し、この信号をＤ／Ａ変換部２１４に送る。なお、端末装置２００から基地局装置１００に送信すべき送信データが無い場合は、マルチプレクス部２１３は報告情報用シンボル系列のみを出力することも有り得る。Ｄ／Ａ変換部２１４は、マルチプレクス部２１３から送られた信号をアナログ信号に変換する。この変換されたアナログ信号を、無線送信部２１５は、アップコンバートし、アンテナ部２０１から基地局装置１００に送信する。【００３７】
基地局装置１００では、端末装置２００から送信された信号を、アンテナ部１０８を経て無線受信部１０９が受信する。この受信したアナログ信号を、無線受信部１０９がダウンコンバートした後に、Ａ／Ｄ変換部１１０は、デジタル信号に変換し、デマルチプレクス部１１１に送る。デマルチプレクス部１１１は、Ａ／Ｄ変換部１１０から送られたデジタル信号（シンボル系列）から、報告情報用シンボル系列とデータシンボル系列とを分離し、報告情報用シンボル系列をバッファ部１１７に送り、データシンボル系列をデマッピング部１１２に送る。デマルチプレクス部１１１で取り出されたデータシンボル系列を、デマッピング部１１２および復号化部１１３は、復調・復号し、受信データを取り出す。
バッファ部１１７は、前回までに端末装置２００から報告された報告情報に基づき、複数の要求チャネル（割り当ての候補となるチャネル）のチャネル番号とそのチャネルにおける受信品質情報を記憶している。バッファ部１１７は、デマルチプレクス部１１１から報告情報用シンボル系列が送られてくると、その報告情報用シンボル系列を復調して得た報告情報に基づいて、記憶している複数の要求チャネルのチャネル番号とそのチャネルにおける受信品質情報を更新する。バッファ部１１７の詳細な動作に関しては、端末装置２００内の報告情報生成部２１０の動作と共に後述する。【００３８】
バッファ部１１７は、記憶していた複数の要求チャネルのチャネル番号とそのチャネルにおける受信品質情報を更新した後、（更新済みの）複数の要求チャネルのチャネル番号とそのチャネルにおける受信品質情報をスケジューラ部１１４に送る。なお、基地局装置１００が複数の端末装置２００と通信している場合は、バッファ部１１７は、複数の端末装置２００それぞれに関する複数の要求チャネルのチャネル番号とそのチャネルにおける受信品質情報を記憶しており、それらをスケジューラ部１１４に送る。スケジューラ部１１４は、バッファ部１１７から送られた複数の要求チャネルのチャネル番号とそのチャネルにおける受信品質情報とに基づいて、各端末装置２００宛の送信データを割り当てるチャネルを決定するとともに、それぞれの送信データの変調パラメータを決定する。なお、要求チャネルは、割り当ての候補となるチャネルであるが、スケジューラ部１１４は、各端末装置２００宛の送信データを、端末装置２００から報告された要求チャネルに必ずしも割り当てる必要はない。例えば、いずれの端末装置２００からも要求チャネルとして選択されていないチャネルに送信データを割り当ててもよい。スケジューラ部１１４は、スケジューリングを終えた後、スケジューリング情報（各チャネルと各端末装置の対応を示す情報）と変調パラメータ情報を符号化部１０１およびマッピング部１０２に送ると共に、通知情報生成部１１５に送る。通知情報生成部１１５は、スケジューラ部１１４から送られたスケジューリング情報と変調パラメータ情報を端末装置２００に通知するための通知情報用シンボル系列を生成し、マルチプレクス部１０３に送る。以降、送信までの動作は、前述と同様である。【００３９】
図３は、報告情報生成部２１０の内部構成を示す概略ブロック図である。以下では図３を用いて、報告情報生成部２１０の動作に関して、より詳しく説明する。
受信品質測定部２０９が送った受信品質測定結果は、更新チャネル選択部３０１が受ける。記憶部３０２は、前回の更新時点での複数の要求チャネルのチャネル番号とそのチャネルにおける受信品質情報を記憶しており、更新チャネル選択部３０１に前回更新時の複数の要求チャネル情報とそのチャネルにおける受信品質情報を送る。更新チャネル選択部３０１は、受信品質測定結果と、前回更新時の複数の要求チャネルのチャネル番号とそのチャネルにおける受信品質情報に基づいて、前回更新時の複数の要求チャネルの中から削除するチャネルを選択し、さらに追加するチャネルを選択する。更新チャネル選択部３０１は、削除するチャネルと追加するチャネルを選択した後、削除するチャネルを示す削除チャネル情報と、追加するチャネルを示す追加チャネル情報、および追加するチャネルの受信品質情報を記憶部３０２と報告情報シンボル生成部３０３に出力する。すなわち、更新チャネル選択部３０１は、前回更新時の要求チャネルの組と今回の要求チャネルの組との差分をとり、この差分を表す差分情報である追加チャネル情報と削除チャネル情報とに加えて、追加するチャネルの受信品質情報を出力する。【００４０】
記憶部３０２は、更新チャネル選択部３０１から受けた削除チャネル情報および追加チャネル情報と追加チャネルにおける受信品質情報に基づいて、記憶してある複数の要求チャネル情報とそのチャネルにおける受信品質情報を更新する。すなわち、記憶部３０２は、削除チャネル情報にて指定されたチャネル番号とこのチャネル番号の受信品質情報を記憶内容から削除し、追加チャネル情報にて指定されたチャネル番号とこのチャネルにおける受信品質情報とを対応付けて記憶する。報告情報シンボル生成部３０３は、更新チャネル選択部３０１から受けた削除チャネル情報および追加チャネル情報と追加チャネルにおける受信品質情報を基地局装置１００に報告するための報告情報用シンボル系列を生成し、出力する。【００４１】
一方、基地局装置１００内のバッファ部１１７では、端末装置２００内の記憶部３０２で記憶されている情報と同様の情報が記憶されている。すなわち、端末装置２００から報告情報を報告されたとき、報告情報（削除チャネル情報および追加チャネル情報と追加チャネルにおける受信品質情報）に基づいて、記憶してあった複数の要求チャネルとそのチャネルにおける受信品質情報を記憶部３０２と同様に更新する。これにより、端末装置２００の記憶部３０２の記憶内容と一致するように、基地局装置１００のバッファ部１１７の記憶内容が再構成される。【００４２】
次に、端末装置２００の報告情報生成部２１０の動作を具体例に沿って説明する。
図４に示す情報（チャネル番号と受信品質測定結果との組である「Ｃ１と６」、「Ｃ２と９」、「Ｃ３と１０」、「Ｃ４と６」、「Ｃ５と３」、「Ｃ６と８」）は、受信品質測定部２０９から通知された受信品質測定結果の一例であり、図５に示す情報（チャネル番号と受信品質情報との組である「Ｃ１と７」、「Ｃ２と９」、「Ｃ３と１０」）は、記憶部３０２に記憶されている複数の要求チャネル情報とそのチャネルにおける受信品質情報の一例である。なお、図４における受信品質測定結果および図５における受信品質情報は、そのチャネルにおける受信品質を０〜１０の値で表し、数字が大きいほど、受信品質が良いことを表している。また、図６は、更新チャネル選択部３０１の動作を表すフローチャートである。【００４３】
まず、更新チャネル選択部３０１は、受信品質測定部２０９から受けた図４に例示する受信品質測定結果を読み込み（ステップＳ６０１）、さらに、記憶部３０２から図５に示した記憶されている複数の要求チャネル情報とそのチャネルにおける受信品質情報を読み込む（ステップＳ６０２）。次に、更新チャネル選択部３０１は、記憶部３０２から読み込んだ要求チャネル（この具体例ではチャネルＣ１とＣ２とＣ３）の受信品質（７と９と１０）と、そのチャネルの受信品質測定部２０９から受けた受信品質測定結果（６と９と１０）とから、これらのチャネルの受信品質の変動量（１と０と０）を計算する（ステップＳ６０３）。ここで、要求チャネルの受信品質と受信品質測定結果との変動量とは、これらの値の差の絶対値である。さらに、更新チャネル選択部３０１は、受信品質の変動量が閾値（この例では１とする）以上となるチャネル（この例ではチャネルＣ１）を削除チャネルとして選択する（ステップＳ６０４）。最後に、更新チャネル選択部３０１は、記憶部３０２から受けたチャネル（Ｃ１、Ｃ２、Ｃ３）から削除チャネル（Ｃ１）を削除した後の残りのチャネル（Ｃ２、Ｃ３）を除いたチャネル（この例ではチャネルＣ１とＣ４とＣ５とＣ６）の中で、受信品質が良好なチャネル（この例ではチャネルＣ６）を追加チャネルとして選択する（ステップＳ６０５）。その結果、更新チャネル選択部３０１が出力するのは、図７に示すように、削除チャネル番号が「Ｃ１」、追加チャネル番号が「Ｃ６」、追加チャネルの受信品質が「８」となる。【００４４】
図７に示す情報（削除チャネル番号「Ｃ１」、追加チャネル番号「Ｃ６」、追加チャネルの受信品質「８」）を更新チャネル選択部３０１は記憶部３０２に送り、記憶部３０２は、その情報に従い自身が記憶する情報を、図５に示される情報（チャネル番号と受信品質情報との組である「Ｃ１と７」、「Ｃ２と９」、「Ｃ３と１０」）からチャネルＣ１を削除し、チャネルＣ６およびチャネルＣ６の受信品質「８」を追加して、図８に示される情報（チャネル番号「Ｃ２」は受信品質情報「９」、チャネル番号「Ｃ３」は受信品質情報「１０」、チャネル番号「Ｃ６」は受信品質情報「８」）に更新する。
ここでは、受信品質の変動量が閾値以上となるチャネル数が１つの場合について説明したが、受信品質の変動量が閾値以上となるチャネル数が２つ以上あるいは無い場合は、その中から変動量の大きいものを所定の追加チャネル数（この例の場合は１）分だけ選択してもよい。すなわち、本実施形態では、受信品質の変動量が閾値以上となる全てのチャネルを削除チャネルとし、削除チャネルと同数の追加チャネルを選択するようにしたが、削除チャネルの数を所定の数に制限し、受信品質の変動量が閾値以上のチャネルのうち、受信品質の変動量が最も大きいものから前記所定の数だけのチャネルを削除チャネルとして選択し、これら削除チャネルと同数の追加チャネルを選択してもよい。このとき、受信品質の変動量が閾値以上のチャネルの数が前述の所定の数に満たないときは、受信品質の変動量が閾値以上のチャネルのみを削除チャネルとし、これらの削除チャネルと同数の追加チャネルを選択する。また、その他に、削除チャネルの数を所定の数に制限し、受信品質の変動量が最も大きいものから前記所定の数だけのチャネルを削除チャネルとして選択し、これら削除チャネルと同数の追加チャネルを選択してもよい。【００４５】
ここでは、削除チャネルを選択する際、受信品質の変動量が閾値以上となることを指標としたが、必ずしもこれに限るものではない。例えば、受信品質の変位（記憶部３０２から読み込んだ要求チャネルの受信品質から受信品質測定部２０９から受けた受信品質測定結果を引いた値）が閾値（例えば「−２」）以下となることを指標とすることにより、受信品質が大きく劣化したチャネルを削除チャネルとしてもよい。【００４６】
なお、本実施形態では、要求チャネル数が３、削除チャネル数が１、追加チャネル数が１である場合について説明したが、これは一例であり、これらのチャネル数が他の固定値、あるいは可変値であっても適用できることは勿論である。【００４７】
このように、本実施形態によれば、端末装置２００は、自装置への送信データのチャネル割り当ての候補として全チャネルから一部分のチャネルを選択し、選択したチャネルの受信品質情報を基地局装置へ報告する際、チャネルに関する情報として前回選択チャネルに対する削除チャネル情報および追加チャネル情報のみを報告する。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告する。そのため、選択したすべてのチャネルにおける受信品質情報を報告する場合に比べ、報告情報量を抑制することが可能となり、フィードバックによるオーバヘッドを減少させることができる。【００４８】
また、端末装置２００の更新チャネル選択部３０１は、削除チャネルを選択する際に、前回と今回との間で受信品質の変動が大きなものを選択しているので、前回および今回ともに要求チャネルとなっているチャネルは、受信品質の変動が小さいものとなる。このため、前回および今回ともに要求チャネルとなっているチャネルの受信品質情報については報告情報に含めないことで報告情報量を抑制しても、スケジューラ部１１４は、前回の受信品質情報を用いて、送信データを適当なチャネルに割り当てることができる。【００４９】
［第２の実施形態］
図９は、基地局装置９００の構成を示す概略ブロック図であり、図１０は、端末装置１０００の構成を示す概略ブロック図である。なお、図９、図１０において、第１の実施形態（図１、図２）の各部に対応する部分には、構成が同一であるので同一の符号付け、その説明を省略する。
基地局装置９００は、符号化部１０１、マッピング部１０２、マルチプレクス部１０３、ＩＦＦＴ部１０４、ＧＩ挿入部１０５、Ｄ／Ａ変換部１０６、無線送信部１０７、アンテナ部１０８、無線受信部１０９、Ａ／Ｄ変換部１１０、デマルチプレクス部１１１、デマッピング部１１２、復号化部１１３、スケジューラ部９０１、通知情報生成部１１５、パイロット生成部１１６、バッファ部（要求チャネル再構成部）９０２を有する。【００５０】
端末装置１０００は、アンテナ部２０１、無線受信部２０２、Ａ／Ｄ変換部２０３、ＧＩ除去部２０４、ＦＦＴ部２０５、デマルチプレクス部２０６、デマッピング部２０７、復号化部２０８、受信品質測定部２０９、報告情報生成部１００１、符号化部２１１、マッピング部２１２、マルチプレクス部２１３、Ｄ／Ａ変換部２１４、無線送信部２１５、復調制御部１００２を有する。【００５１】
以下では、第１の実施形態（図１、図２）と異なる処理を行うブロックであるスケジューラ部９０１、バッファ部９０２、報告情報生成部１００１、復調制御部１００２を中心に説明する。なお、本実施形態では、端末装置１０００から基地局装置９００に、受信品質情報として変調パラメータを報告する場合について説明する。
基地局装置９００内のスケジューラ部９０１は、スケジューリングした結果であるスケジューリング情報と変調パラメータ情報とを符号化部１０１、マッピング部１０２、通知情報生成部１１５に送ると共に、それらの情報をバッファ部９０２にも送る。バッファ部９０２は、前回の更新時点での複数の使用チャネルのチャネル番号（各端末装置１０００宛の送信データに割り当てられたチャネルを示す情報）とそのチャネルにおける受信品質情報（変調パラメータ）が記憶されている。バッファ部９０２は、スケジューラ部９０１からスケジューリング情報と変調パラメータ情報を受けて、バッファ部９０２内に記憶している複数の使用チャネルとそのチャネルにおける受信品質情報をスケジューラ部９０１から受けた情報に更新する。【００５２】
端末装置１０００内の復調制御部１００２は、デマルチプレクス部２０６から送られた通知情報用シンボル系列に基づいて、スケジューリング情報および変調パラメータ情報を生成し、デマッピング部２０７、復号化部２０８に送ると共に、それらの情報を報告情報生成部１００１にも送る。
報告情報生成部１００１は、受信品質測定部２０９から受けた各チャネルにおける受信品質測定結果（変調パラメータ）と、復調制御部１００２から送られたスケジューリング情報（使用チャネル情報：端末装置１０００宛の送信データに割り当てられたチャネルに関する情報）とそのチャネルにおける受信品質情報（変調パラメータ）とに基づいて、報告情報用シンボル系列を生成し、マルチプレクス部２１３に送る。【００５３】
図１１は、報告情報生成部１００１の内部構造を示す概略ブロック図である。また、図１２に更新チャネル選択部３０１の動作を表すフローチャートを示す。ここで、本実施形態の更新チャネル選択部３０１は、入力データが異なるだけで、第１の実施形態（図３）の更新チャネル選択部３０１と同様の処理を行う。すなわち、更新チャネル選択部３０１には、第１の実施形態では、記憶部３０２に記憶されていた要求チャネル情報およびそのチャネルにおける受信品質情報と、受信品質測定結果が入力されたが、本実施形態では、これらの情報に替えて使用チャネル情報および使用チャネルにおける受信品質情報と、受信品質測定結果が入力され、更新チャネル選択部３０１は、使用チャネルの組と今回の要求チャネルの組との差分をとり、この差分を表す差分情報である追加チャネル情報と削除チャネル情報とに加えて、追加するチャネルの受信品質情報を出力する。なお、本実施形態では、使用チャネル情報とは基地局装置９００により端末装置１０００宛の送信データに割り当てられたチャネル（使用チャネル）を表す情報であり、受信品質情報および受信品質測定結果とは変調パラメータである。【００５４】
まず、更新チャネル選択部３０１は、受信品質測定部２０９から受信品質測定結果を読み込み（ステップＳ６０１）、さらに、復調制御部１００２から使用チャネル情報および使用チャネルにおける受信品質情報を読み込む（ステップＳ１２０２）。次に、更新チャネル選択部３０１は、復調制御部１００２から使用チャネルの受信品質と、そのチャネルの受信品質測定部２０９から受けた受信品質測定結果とから、これらのチャネルの受信品質の変動量を計算する（ステップＳ１２０３）。さらに、更新チャネル選択部３０１は、受信品質の変動量が閾値以上となるチャネルを削除チャネルとして選択する（ステップＳ１２０４）。最後に、更新チャネル選択部３０１は、復調制御部１００２から受けた使用チャネルから削除チャネルを削除した後の残りのチャネルを全チャネルから除いたチャネルの中で、受信品質が良好なチャネルを追加チャネルとして選択し（ステップＳ１２０５）、前述の削除チャネルを表す削除チャネル情報、前述の追加チャネルを表す追加チャネル情報およびこの追加チャネルの受信品質を表す受信品質情報を出力する。【００５５】
ここでは、第１の実施形態と同様に、受信品質の変動量が閾値以上となるチャネル数が１つの場合について説明したが、受信品質の変動量が閾値以上となるチャネル数が２つ以上ある場合は、その中から変動量の大きいものを所定の追加チャネル数（この例の場合は１）分だけ選択してもよい。すなわち、本実施形態では、受信品質の変動量が閾値以上となる全てのチャネルを削除チャネルとし、削除チャネルと同数の追加チャネルを選択するようにしたが、削除チャネルの数を所定の数に制限し、受信品質の変動量が閾値以上のチャネルのうち、受信品質の変動量が最も大きいものから前記所定の数だけのチャネルを削除チャネルとして選択し、これら削除チャネルと同数の追加チャネルを選択してもよい。このとき、受信品質の変動量が閾値以上のチャネルの数が前述の所定の数に満たないときは、受信品質の変動量が閾値以上のチャネルのみを削除チャネルとし、これら削除チャネルと同数の追加チャネルを選択する。具体的には、所定の数が「２」であり、変動量が閾値以上のチャネルが１つのみであったときは、この１つのチャネルのみを削除チャネルとし、選択する追加チャネルは削除チャネルの数と同じ１つとなる。また、その他に、削除チャネルの数を所定の数に制限し、受信品質の変動量が最も大きいものから前記所定の数だけのチャネルを削除チャネルとして選択し、これら削除チャネルと同数の追加チャネルを選択してもよい。【００５６】
また、本実施形態では、削除チャネルを選択する際、受信品質の変動量が閾値以上となることを指標としたが、必ずしもこれに限るものではない。例えば、受信品質の変位（復調制御部１００２から読み込んだ使用チャネルの受信品質から受信品質測定部２０９から受けた受信品質測定結果を引いた値）が閾値（例えば「−２」）以下となることを指標とすることにより、受信品質が大きく劣化したチャネルを削除チャネルとしてもよい。【００５７】
なお、本実施形態では、要求チャネル数が３、削除チャネル数が１、追加チャネル数が１である場合について説明したが、これは一例であり、これらのチャネル数が他の固定値、あるいは可変値であっても適用できることは勿論である。【００５８】
また、図９の基地局装置９００内のバッファ部９０２は、端末装置１０００から送られてきた報告情報（削除チャネル情報および追加チャネル情報と追加チャネルにおける受信品質情報）が入力されると、記憶してある前回スケジューリング時点での使用チャネル情報とそのチャネルにおける受信品質情報（変調パラメータ）とを、報告情報の内容にて更新した情報をスケジューラ部９０１に送る。すなわち、バッファ部９０２は、使用チャネル情報から削除チャネル情報が示すチャネルを削除し、さらに追加チャネル情報が示すチャネルを追加したチャネル情報とともに、これらのチャネルの受信品質情報をスケジューラ部９０１に送る。ただし、この時点では、バッファ部９０２内に記憶してある情報は更新しない。前述したとおり、スケジューラ部９０１においてスケジューリングが行われた後、スケジューラ部９０１から送られるスケジューリング情報と変調パラメータ情報に基づいて、更新される。【００５９】
このように、本実施形態によれば、端末装置１０００は、自装置への送信データのチャネル割り当ての候補として全チャネルから一部分を要求チャネルとして選択し、選択した要求チャネルの受信品質情報を基地局装置９００へ報告する際、要求チャネルに関する情報として、割り当てられているチャネルに対する削除チャネル情報および追加チャネル情報のみを報告する。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告する。そのため、選択したすべてのチャネルにおける受信品質情報を報告する場合に比べ、報告情報量を抑制することが可能となり、フィードバックによるオーバヘッドを減少させることができる。【００６０】
なお、本実施形態においては、更新チャネル選択部３０１は、要求チャネルと割り当てられているチャネルとを比較して、削除チャネル情報および追加チャネル情報を生成しているので、第１の実施形態と比較すると、前回の要求チャネル情報を記憶しておく記憶部３０２が不要となり、回路規模を抑制することができる。【００６１】
［第３の実施形態］
第２の実施形態では、更新チャネル選択部３０１において、閾値を用いた評価により削除チャネルおよび追加チャネルを選択する場合について説明したが、第３の実施形態では第２の実施形態を一部変形して、更新チャネル数を制限（あるいは固定）することにより削除チャネルおよび追加チャネルを選択する。図１３は、本実施形態における更新チャネル選択部３０１におけるフローチャートである。【００６２】
まず、更新チャネル選択部３０１は、受信品質測定結果を読み込み（ステップＳ６０１）、次に使用チャネル情報とそのチャネルの受信品質情報を読み込む（ステップＳ１２０２）。続いて、更新チャネル選択部３０１は、ステップＳ６０１で読み込んだ受信品質測定結果とステップＳ１２０２で読み込んだ受信品質情報とを比較して、使用チャネルの受信品質の変動を計算（ステップＳ１２０３）した後、受信品質の変動量が大きいＭ個のチャネルを削除チャネルとして選択する（ステップＳ１３０４）。更新チャネル選択部３０１は、使用チャネルから削除チャネルを削除した後の残りのチャネルを全チャネルから除いたチャネルの中で、受信品質が良好なＭ個のチャネルを追加チャネルとして選択する（ステップＳ１３０５）。【００６３】
ここでは、削除チャネルを選択する際、受信品質の変動量が大きいことを指標としたが、必ずしもこれに限るものではない。例えば、受信品質の変位（符号を含めた値）が小さいこと（負の方向に大きいこと）を指標とすることにより、受信品質が大きく劣化したチャネルを削除チャネルとすることもできる。
また、本実施形態では、削除チャネル数と追加チャネル数が常に所定のチャネル数Ｍである場合について説明したが、これらのチャネル数Ｍは固定値であってもよいし可変値であってもよい。例えば、Ｍが固定値である場合は、端末装置から基地局装置に報告する情報量は一定の値に制限することができる。一方、Ｍが可変値であり、かつＭの値を伝搬路の時間変動に応じて制御する場合は、端末装置から基地局装置への効率的な報告が可能となる。【００６４】
なお、本実施形態は第２の実施形態の変形例として説明したが、当然第１の実施形態からの同様の変形も可能である。
また、各実施形態では、端末装置から基地局装置に要求するチャネルを報告する場合について説明したが、これに限るものではない。要求チャネルに代えて、通信品質が劣悪な一部のチャネルを報告するようにした場合においても同様に適用することができる。このように、本発明は、端末装置から基地局装置に全チャネルの中の一部のチャネルを示す情報を報告する際に、削除チャネル情報および追加チャネル情報のみを報告するものであるため、本実施形態で説明した例だけでなく、全チャネルの中の一部のチャネルを示す情報を報告するシステムであれば適用することができる。【００６５】
このように、本実施形態によれば、端末装置は、全チャネルから一部分のチャネルを選択し、選択したチャネルの受信品質情報を基地局装置へ報告する際、チャネルに関する情報として削除チャネル情報および追加チャネル情報のみを報告することができる。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告することができる。そのため、選択したすべてのチャネルにおける受信品質情報を報告する場合に比べ、報告情報量を抑制することが可能となり、フィードバックによるオーバヘッドを減少させることができる。【００６６】
［第４の実施形態］
以上の第１から第３の実施形態では、端末装置から基地局装置に削除チャネルを報告する際、削除チャネルのチャネル番号を報告する場合について説明した。
本実施形態では、端末装置から基地局装置に削除チャネルを報告する際、削除チャネルのチャネル番号を報告するのではなく、基地局装置内で要求チャネルに関する情報が記憶されているバッファのバッファ番号情報（バッファ領域の識別番号）を、予め基地局装置から端末装置に通知しておき、端末装置からは削除チャネルに対応するバッファ番号情報を基地局装置に報告する。バッファ番号情報はバッファ内でのみ一意な値であればよいので、全チャネル内で一意な値であるチャネル番号に比べて情報量を少なくすることができるため、フィードバック情報量をさらに軽減することができる。【００６７】
図１４は、本実施形態における基地局装置１４００の構成を示す概略ブロック図であり、図１５は、本実施形態における端末装置１５００の構成を示す概略ブロック図である。なお、図１４、図１５において、第１の実施形態（図１、図２）の各部に対応する部分には、構成が同一であるので、同一の符号を付け、その説明を省略する。
基地局装置１４００は、符号化部１０１、マッピング部１０２、マルチプレクス部１０３、ＩＦＦＴ部１０４、ＧＩ挿入部１０５、Ｄ／Ａ変換部１０６、無線送信部１０７、アンテナ部１０８、無線受信部１０９、Ａ／Ｄ変換部１１０、デマルチプレクス部１１１、デマッピング部１１２、復号化部１１３、スケジューラ部１１４、通知情報生成部１４０２、パイロット生成部１１６、バッファ部（要求チャネル再構成部）１４０１を有する。【００６８】
端末装置１５００は、アンテナ部２０１、無線受信部２０２、Ａ／Ｄ変換部２０３、ＧＩ除去部２０４、ＦＦＴ部２０５、デマルチプレクス部２０６、デマッピング部２０７、復号化部２０８、受信品質測定部２０９、報告情報生成部１５０１、符号化部２１１、マッピング部２１２、マルチプレクス部２１３、Ｄ／Ａ変換部２１４、無線送信部２１５、復調制御部１５０２を有する。【００６９】
以下では、第１の実施形態と異なる処理を行うブロックであるバッファ部１４０１、通知情報生成部１４０２、報告情報生成部１５０１、復調制御部１５０２を中心に説明する。その他の部分の処理は、第１の実施形態のものと同一である。
図１４に示す基地局装置１４００内の通知情報生成部１４０２は、スケジューラ部１１４からスケジューリング情報と変調パラメータ情報を受け取ると共に、各要求チャネル情報と受信品質情報とを記憶するバッファのバッファ番号情報をバッファ部１４０１から取得する。通知情報生成部１４０２は、スケジューリング情報と変調パラメータ情報と各要求チャネルに対応するバッファ番号情報とを端末装置１５００に通知するための通知情報用シンボル系列を生成する。【００７０】
図１５に示す端末装置１５００内の復調制御部１５０２は、デマルチプレクス部２０６から送られた通知情報用シンボルに基づいて、スケジューリング情報と変調パラメータ情報と前回の各要求チャネルのバッファ番号情報を生成し、スケジューリング情報と変調パラメータ情報をデマッピング部２０７と復号化部２０８に送ると共に、前回の各要求チャネルのバッファ番号情報を報告情報生成部１５０１に送る。
なお、本実施形態では、デマルチプレクス部２０６と復調制御部１５０２とを合わせたブロックが、バッファ識別分離部として機能する。【００７１】
図１６は、報告情報生成部１５０１の内部構成を示す概略ブロック図である。
記憶部３０２は、第１の実施形態の記憶部３０２と同じ機能を持つブロックであり、前回の更新時点での複数の要求チャネルとそのチャネルにおける受信品質情報を記憶している。更新チャネル選択部１６０１は、受信品質測定部２０９から送られた受信品質測定結果と記憶部３０２から送られた前回の更新時点での複数の要求チャネルとそのチャネルにおける受信品質情報に基づいて、第１の実施形態と同様の処理を行い、削除チャネルと追加チャネルを選択する。その後、更新チャネル選択部１６０１は、削除チャネル情報と追加チャネル情報および追加チャネルにおける受信品質情報を記憶部３０２に送ると共に、削除チャネルに対応するバッファ番号情報および追加チャネル情報と追加チャネルにおける受信品質情報を報告情報シンボル生成部１６０３に送る。このとき、前回の各要求チャネルのバッファ番号情報には、復調制御部１５０２から更新チャネル選択部１６０１が受けた値を用いる。報告情報シンボル生成部１６０３は、更新チャネル選択部１６０１から送られた削除チャネルに対応するバッファ番号情報および追加チャネル情報と追加チャネルにおける受信品質情報を、基地局装置１４００に報告するための報告情報用シンボル系列を生成する。【００７２】
端末装置１５００から送られた報告情報用シンボル系列は、基地局装置１４００内のデマルチプレクス部１１１が受信した信号から分離してバッファ部１４０１に送る。バッファ部１４０１は、端末装置１５００から報告された削除チャネルに対応するバッファ番号情報と追加チャネル情報と追加チャネルにおける受信品質情報とに基づいて、バッファに記憶してある要求チャネル情報と受信品質情報を更新し、更新した情報をスケジューラ部１１４に送る。また、バッファ部１４０１は、各要求チャネルに関する対応するチャネル番号と受信品質の組合せを記憶するバッファ番号情報を通知情報生成部１４０２に送る。【００７３】
次に、図１７に例示するバッファ番号情報（チャネル番号とバッファ番号との組である「Ｃ１とＢ３」、「Ｃ２とＢ１」、「Ｃ３とＢ２」）が復調制御部１５０２から更新チャネル選択部１６０１に送られている場合を例に挙げて、報告情報生成部１５０１の動作を説明する。
第１の実施形態と同様、ここでは、受信品質測定部２０９から通知された受信品質測定結果の一例として図４に示す情報（チャネル番号と受信品質測定結果との組である「Ｃ１と６」、「Ｃ２と９」、「Ｃ３と１０」、「Ｃ４と６」、「Ｃ５と３」、「Ｃ６と８」）と、記憶部３０２に記憶されている複数の要求チャネルとそのチャネルにおける受信品質情報の一例として図５に示す情報（チャネル番号と受信品質情報との組である「Ｃ１と７」、「Ｃ２と９」、「Ｃ３と１０」）とが更新チャネル選択部１６０１に送られているものとする。なお、更新チャネル選択部１６０１の基本的な動作は、図６に示すものと同様であり、具体的な演算も第１の実施形態に示したのと同様であるため、更新チャネル選択部１６０１は、削除チャネルとしてＣ１を、追加チャネルとしてＣ６を選択する。ここで、更新チャネル選択部１６０１は、図１７に示されたバッファ番号情報を参照し、削除チャネルＣ１に対応するバッファ番号であるＢ３を選択する。その後、更新チャネル選択部１６０１は、記憶部３０２に削除チャネルである「Ｃ１」を示す情報および追加チャネルである「Ｃ６」を示す情報と追加チャネルの受信品質である「８」を示す情報を送ると共に、報告情報シンボル生成部１６０３に、選択したバッファ番号である「Ｂ３」を示す情報および追加チャネルである「Ｃ６」を示す情報と追加チャネルの受信品質である「８」を示す情報を送る。すなわち、報告情報は図１８に示すような情報（削除チャネルのバッファ番号「Ｂ３」、追加チャネル番号「Ｃ６」、追加チャネルの受信品質「８」）である。【００７４】
なお、本実施形態では、基地局装置１４００は前回の要求チャネル情報とそのチャネルにおける受信品質情報をバッファ部１４０１で記憶する構成について説明したが、バッファ部１４０１が記憶するのは１回分の要求チャネル情報とそのチャネルにおける受信品質情報に限るものではない。バッファ部１４０１は、複数回分の要求チャネル情報とそのチャネルにおける受信品質情報を記憶しておいても良い。あるいは、要求チャネル情報のみ複数回分記憶しておく構成とし、スケジューラ部１１４は、バッファ部１４０１が記憶しているこれらの情報に基づきスケジューリングするようにしてもよい。【００７５】
このように、本実施形態によれば、端末装置１５００は、全チャネルから一部分のチャネルを選択し、選択したチャネルの受信品質情報を基地局装置１４００へ報告する際、チャネルに関する情報として削除チャネルに対応するバッファ番号情報および追加チャネル情報のみを報告することができる。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告することができる。そのため、選択したすべてのチャネルにおける受信品質情報を報告する場合に比べ、報告情報量を抑制することが可能となり、フィードバックによるオーバヘッドを減少させることができる。【００７６】
なお、本実施形態において、削除チャネルを指定する情報としてバッファ番号情報を用いたが、バッファ番号情報に代えて、要求チャネル内でチャネル番号の小さい方から何番目であるかなどのその他の要求チャネル内で一意となる識別情報を用いても良い。本実施形態では、通知情報生成部１４０２は、バッファ部１４０１から取得した各要求チャネルに対応するバッファ番号情報を通知するための通知情報用シンボル系列を生成して、端末装置１５００に通知しているが、上述の要求チャネル内でチャネル番号の小さい方から何番目であるかなどの一定の規則に基づき生成する識別情報であれば、基地局装置１４００から端末装置１５００へ各要求チャネルに対応する識別情報（本実施形態におけるバッファ番号情報）を通知しなくても良い。【００７７】
［第５の実施形態］
第１の実施形態に対する第２の実施形態と同様、第４の実施形態に関しても端末装置内の報告情報生成部内に記憶部を要しない構成をとることもできる。
図１９は、本実施形態における基地局装置１９００の構成を示す概略ブロック図である。図２０は、本実施形態における端末装置２０００の構成を示す概略ブロック図である。
なお、図１９、図２０において、第１の実施形態（図１、図２）、第２の実施形態（図９、図１０）、および第４の実施形態（図１４、図１５）の各部に対応する部分は、構成が同一であるので、同一の符号を付け、その説明を省略する。なお、本実施形態では、端末装置２０００から基地局装置１９００に、受信品質として変調パラメータを報告する。【００７８】
基地局装置１９００内のスケジューラ部９０１は、スケジューリング情報と変調パラメータ情報を符号化部１０１、マッピング部１０２、通知情報生成部１４０２に送ると共に、それらの情報をバッファ部（要求チャネル再構成部）１９０１にも送る。バッファ部１９０１は、前回の更新時点での複数の使用チャネルとそのチャネルにおける受信品質情報（変調パラメータ）を記憶している。スケジューラ部９０１からスケジューリング情報と変調パラメータ情報が送られると、バッファ部１９０１は、記憶している複数の使用チャネルとそのチャネルにおける受信品質情報とを更新する。また、更新後に、バッファ部１９０１は、スケジューリングされた各使用チャネル情報と受信品質情報とを記憶するバッファのバッファ番号情報（バッファ領域の識別情報）を通知情報生成部１４０２に通知する。【００７９】
端末装置２０００内の復調制御部２００２は、デマルチプレクス部２０６から送られた通知情報用シンボル系列に基づいて、スケジューリング情報および変調パラメータ情報を生成し、デマッピング部２０７、復号化部２０８に送ると共に、それらの情報を報告情報生成部２００１にも送る。また、バッファ番号情報も生成して合わせて報告情報生成部２００１に送る。
なお、本実施形態では、デマルチプレクス部２０６と復調制御部２００２とを合わせたブロックが、バッファ識別分離部として機能する。【００８０】
報告情報生成部２００１は、受信品質測定部２０９から送られた各チャネルにおける受信品質測定結果（変調パラメータ）と、復調制御部２００２から送られたスケジューリング情報（端末装置２０００宛の送信データに割り当てられたチャネルに関する情報）と変調パラメータとに基づいて、報告情報用シンボル系列を生成し、マルチプレクス部２１３に送る。【００８１】
図２１は、報告情報生成部２００１の内部ブロック構造を示している。更新チャネル選択部１６０１の基本的な動作は図１２に示すフローチャートと同様である。ここで、本実施形態の更新チャネル選択部１６０１は、入力元が異なるだけで、第４の実施形態の更新チャネル選択部１６０１と同様の処理を行う。第４の実施形態では、記憶部３０２に記憶されていた要求チャネル情報およびそのチャネルにおける受信品質情報と、受信品質測定結果と、バッファ番号情報とが入力されたが、本実施形態では、使用チャネル（端末装置２０００宛の送信データに割り当てられたチャネル）情報と、使用チャネルにおける受信品質情報（変調パラメータ）と、受信品質測定結果（変調パラメータ）と、バッファ番号情報とが入力される。【００８２】
基地局装置１９００内のバッファ部１９０１は、端末装置２０００から送られてきた報告情報（削除チャネルに対応するバッファ番号情報と、追加チャネル情報および追加チャネルにおける受信品質情報）が入力されると、記憶してある前回スケジューリング時点での使用チャネル情報とその使用チャネルにおける変調パラメータとを、報告情報の内容にて更新した情報をスケジューラ部９０１に送る。ただし、この時点では、バッファ部１９０１内に記憶してある情報は更新しない。【００８３】
このように、本実施形態によれば、端末装置２０００は、全チャネルから一部分のチャネルを選択し、選択したチャネルの受信品質情報を基地局装置１９００へ報告する際、チャネルに関する情報として削除チャネルに対応するバッファ番号情報および追加チャネル情報のみを報告することができる。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告することができる。そのため、選択したすべてのチャネルにおける受信品質情報を報告する場合に比べ、報告情報量を抑制することが可能となり、フィードバックによるオーバヘッドを減少させることができる。【００８４】
［第６の実施形態］
第５の実施形態では、端末装置から基地局装置に削除チャネルを報告する際、削除チャネルのチャネル番号を報告するのではなく、基地局装置内で使用チャネルに関する情報が記憶されているバッファのバッファ番号情報を、予め基地局装置から端末装置に通知しておき、端末装置からは削除チャネルに対応するバッファ番号情報を基地局装置に報告する場合について説明した。削除チャネルを識別する情報として、バッファ情報ではなく、使用チャネルに振られた通し番号を用いることもできる。
例えば、図１７に示す使用チャネル（Ｃ１とＣ２とＣ３）が割り当てられている場合、各使用チャネルに対し、周波数の小さい方から順に通し番号（Ａ１とＡ２とＡ３）を振ることを、予め基地局装置と端末装置の間で取り決めておくことにより、図１８のＢ３に代えてＡ１という情報を報告すればよい。【００８５】
このように、予め使用チャネルに通し番号を振る方法を基地局装置と端末装置の間で取り決めておくことにより、バッファ情報を通知しなくとも第５の実施形態と同等の報告情報量削減が実現できる。
なお、本実施形態では、通し番号の振り方として、周波数の小さい方から順に振る場合について説明したが、この方法に限るものではないことは勿論である。予め使用チャネルに通し番号を振る方法を基地局装置と端末装置の間で取り決めておくことにより、端末装置と基地局装置の間で要求チャネルに関する情報を共有することができればよい。【００８６】
すなわち、バッファ番号情報に代えて、使用チャネル内でチャネル番号の小さい方から何番目であるかなどのその他の使用チャネル内で一意となる識別情報を用いても良い。また、このように使用チャネル内でチャネル番号の小さい方から何番目であるかなどの一定の規則に基づき生成する識別情報であれば、基地局装置から端末装置へ各使用チャネルに対応する識別情報を通知しなくても良い。
また、本実施形態は第５の実施形態の変形として説明したが、その他各実施形態からも同様に変形することができる。【００８７】
［第７の実施形態］
上記の各実施形態では、端末装置から基地局装置に、削除チャネルに関する情報と追加チャネルを示す情報および追加チャネルの受信品質を示す情報を報告する場合について説明した。
本発明は、全チャネルの中から一部のチャネルを選択し、一部のチャネルの受信品質の平均値を計算した後、選択したチャネルを示す情報と平均受信品質を示す情報を端末装置から基地局装置に報告するシステムにおいても適用することができる。【００８８】
以下で、第１の実施形態の基地局装置１００と端末装置２００と同様のブロック構成であるシステムに適用した場合について説明する。図２２は、端末装置２００内の報告情報生成部２１０を本実施形態に従って変形した内部構成を示す概略ブロック図である。
更新チャネル選択部３０１、記憶部３０２における処理は、第１の実施形態の更新チャネル選択部３０１、記憶部３０２と同様である。記憶部３０２から出力された前回更新時の要求チャネル情報とそのチャネルにおける受信品質情報と、更新チャネル選択部３０１から出力された削除チャネル情報および追加チャネル情報と追加チャネルにおける受信品質情報とが受信品質平均化部２２０１に入力される。受信品質平均化部２２０１は、まず出力された削除チャネル情報および追加チャネル情報と追加チャネルにおける受信品質情報に基づいて、前回更新時の要求チャネルとそのチャネルにおける受信品質情報を更新し、更新後の要求チャネルにおける受信品質の平均値を計算する。その後、削除チャネル情報および追加チャネル情報と平均受信品質情報を出力する。受信品質平均化部２２０１から出力された削除チャネル情報および追加チャネル情報と平均受信品質情報は報告情報シンボル生成部２２０２に送られ、報告情報シンボル生成部２２０２はこれらの情報を基地局装置に報告するための報告情報用シンボル系列を生成する。
なお、本実施形態では、更新チャネル選択部３０１と受信品質平均化部２２０１とを合わせたブロックが、更新チャネル選択部として機能する。【００８９】
次に、本実施形態における報告情報生成部２１０の動作の一例について説明する。
第１の実施形態と同様、ここでは、受信品質測定部２０９から通知された受信品質測定結果の一例として図４に示された情報（チャネル番号と受信品質測定結果との組である「Ｃ１と６」、「Ｃ２と９」、「Ｃ３と１０」、「Ｃ４と６」、「Ｃ５と３」、「Ｃ６と８」）と、記憶部３０２に記憶されている複数の要求チャネル情報とそのチャネルにおける受信品質情報の一例として図５に示された情報（チャネル番号と受信品質情報との組である「Ｃ１と７」、「Ｃ２と９」、「Ｃ３と１０」）とが更新チャネル選択部３０１に送られているものとする。なお、更新チャネル選択部３０１の基本的な動作は、図６に示すフローチャートと同様であり、具体的な演算も第１の実施形態に示したのと同様であるため、図７に示す削除チャネルとしてＣ１を、追加チャネルとしてＣ６を選択する。【００９０】
受信品質平均化部２２０１は、まず、更新チャネル選択部３０１から受けた図７に示す削除チャネル情報および追加チャネル情報と追加チャネルにおける受信品質情報に基づいて、図５に示した前回更新時の要求チャネル情報とそのチャネルにおける受信品質情報を更新する。更新したものは図８に示した情報（チャネル番号と受信品質情報との組「Ｃ２と９」、「Ｃ３と１０」、「Ｃ６と８」）となる。次に、受信品質平均化部２２０１は、要求チャネル（この例の場合Ｃ２とＣ３とＣ６）の受信品質（９と１０と８）の平均値（この例の場合９）を計算し、図２３に示した削除チャネル情報（この例の場合Ｃ１）および追加チャネル情報（この例の場合Ｃ６）と平均受信品質情報（この例の場合９）を出力する。【００９１】
なお、本実施形態では、全チャネルの中から一部のチャネルを選択し、一部のチャネルの受信品質の平均値を計算した後、選択したチャネルを示す情報と平均受信品質を示す情報を端末装置から基地局装置に報告するシステムに、第１の実施形態の報告情報生成部２１０の処理を適用した場合について説明したが、これに限るものではない。当然、上記の各実施形態における報告情報生成部の処理を適用することができる。【００９２】
また、本実施形態では、複数の要求チャネルの受信品質の平均値を報告する場合について説明したが、これに限るものではない。平均値に代えて、複数の要求チャネルの受信品質の加重平均値を報告するシステムや、複数の要求チャネルの受信品質の最小値を報告するシステムなど、複数の要求チャネルの受信品質から算出した指標を報告するシステムであれば、本実施形態と同様に本発明を適用することができる。【００９３】
このように、本実施形態によれば、端末装置は、全チャネルから一部分のチャネルを選択し、選択したチャネルの受信品質情報を基地局装置へ報告する際、チャネルに関する情報として削除チャネルに対応するバッファ番号情報および追加チャネル情報のみを報告することができる。そのため、選択したすべてのチャネルに関する情報を報告する場合に比べ、報告情報量を抑制することが可能となり、フィードバックによるオーバヘッドを減少させることができる。【００９４】
［第８の実施形態］
上記の各実施形態（第７の実施形態を除いた第１の実施形態から第６の実施形態）では、端末装置から基地局装置に、削除チャネルに関する情報と追加チャネルを示す情報および追加チャネルの受信品質を示す情報を報告する場合について説明した。
本実施形態では、削除チャネルに関する情報と追加チャネルを示す情報および各要求チャネルの受信品質を示す情報を報告する場合について説明する。【００９５】
第１の実施形態と同様、受信品質測定部２０９から通知された受信品質測定結果の一例として図４に示された情報が、記憶部３０２に記憶されている複数の要求チャネルとそのチャネルにおける受信品質情報の一例として図５に示された情報が更新チャネル選択部１６０１に送られている場合について説明する。なお、更新チャネル選択部３０１の基本的な動作も、図６に示すものと同様であるとする。【００９６】
更新チャネル選択部３０１の具体的な演算も第１の実施形態に示したのと同様であるため、削除チャネルとしてＣ１を、追加チャネルとしてＣ６を選択する。すなわち、更新チャネル選択部３０１は、要求チャネル（この例の場合、Ｃ２とＣ３とＣ６）とそのチャネルにおける受信品質（９と１０と８）を決定する。その後、更新チャネル選択部３０１は、記憶部３０２に要求チャネルとそのチャネルにおける受信品質を送ると共に、報告情報シンボル生成部１６０３に削除チャネルであるＣ１を示す情報および追加チャネルであるＣ６を示す情報と要求チャネル情報とそのチャネルの受信品質である９と１０と８を示す情報を送る。すなわち、報告情報は図２４に示すような情報である。報告情報シンボル生成部３０３では、報告情報（削除チャネル情報と追加チャネル情報と要求チャネルにおける受信品質情報）を基地局装置１００に報告するための報告情報用シンボル系列を生成する。【００９７】
このとき、報告情報シンボル生成部１６０３において、受信品質情報を周波数の小さいチャネル順に並べるなどの一定の規則に従って並べておくことで、基地局装置１００においても、この規則に基づいて、受信品質情報の各値とチャネルとの対応を判定できる。
なお、本実施形態は第１の実施形態の変形例として説明したが、当然、上記他の実施形態（第２の実施形態から５）からの同様の変形も可能である。【００９８】
このように、本実施形態によれば、端末装置は、全チャネルから一部分のチャネルを選択し、選択したチャネルの受信品質情報を基地局装置へ報告する際、チャネルに関する情報として削除チャネルに対応するバッファ番号情報および追加チャネル情報のみを報告することができる。そのため、選択したすべてのチャネルに関する情報を報告する場合に比べ、報告情報量を抑制することが可能となり、フィードバックによるオーバヘッドを減少させることができる。【００９９】
なお、以下の構成要素は専用のハードウェアにより実現されるものであってもよく、また、メモリおよびマイクロプロセッサおよびこのマイクロプロセッサを動作させるプログラムにより実現させるものであってもよい。
・図１における符号化部１０１、マッピング部１０２、マルチプレクス部１０３、ＩＦＦＴ部１０４、ＧＩ挿入部１０５、デマルチプレクス部１１１、デマッピング部１１２、復号化部１１３、スケジューラ部１１４、通知情報生成部１１５、パイロット生成部１１６、バッファ部１１７
・図２におけるＧＩ除去部２０４、ＦＦＴ部２０５、デマルチプレクス部２０６、デマッピング部２０７、復号化部２０８、受信品質測定部２０９、報告情報生成部２１０、符号化部２１１、マッピング部２１２、マルチプレクス部２１３、復調制御部２１６
・図３における更新チャネル選択部３０１、記憶部３０２、報告情報シンボル生成部３０３
・図９における符号化部１０１、マッピング部１０２、マルチプレクス部１０３、ＩＦＦＴ部１０４、ＧＩ挿入部１０５、デマルチプレクス部１１１、デマッピング部１１２、復号化部１１３、スケジューラ部９０１、通知情報生成部１１５、パイロット生成部１１６、バッファ部９０２
・図１０におけるＧＩ除去部２０４、ＦＦＴ部２０５、デマルチプレクス部２０６、デマッピング部２０７、復号化部２０８、受信品質測定部２０９、報告情報生成部１００１、符号化部２１１、マッピング部２１２、マルチプレクス部２１３、復調制御部１００２
・図１１における更新チャネル選択部３０１、報告情報シンボル生成部３０３
・図１４における符号化部１０１、マッピング部１０２、マルチプレクス部１０３、ＩＦＦＴ部１０４、ＧＩ挿入部１０５、デマルチプレクス部１１１、デマッピング部１１２、復号化部１１３、スケジューラ部１１４、通知情報生成部１４０２、パイロット生成部１１６、バッファ部１４０１
・図１５におけるＧＩ除去部２０４、ＦＦＴ部２０５、デマルチプレクス部２０６、デマッピング部２０７、復号化部２０８、受信品質測定部２０９、報告情報生成部１５０１、符号化部２１１、マッピング部２１２、マルチプレクス部２１３、復調制御部１５０２
・図１６における更新チャネル選択部１６０１、記憶部３０２、報告情報シンボル生成部１６０３
・図１９における符号化部１０１、マッピング部１０２、マルチプレクス部１０３、ＩＦＦＴ部１０４、ＧＩ挿入部１０５、デマルチプレクス部１１１、デマッピング部１１２、復号化部１１３、スケジューラ部９０１、通知情報生成部１４０２、パイロット生成部１１６、バッファ部１９０１
・図２０におけるＧＩ除去部２０４、ＦＦＴ部２０５、デマルチプレクス部２０６、デマッピング部２０７、復号化部２０８、受信品質測定部２０９、報告情報生成部２００１、符号化部２１１、マッピング部２１２、マルチプレクス部２１３、復調制御部２００２
・図２１における更新チャネル選択部１６０１および報告情報シンボル生成部１６０３【０１００】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１０１】
本発明は、ＯＦＤＭＡなどの複数のチャネルの中から送信側が割り当てたチャネルにて通信する携帯電話システムに用いて好適であるが、これに限定されない。
【図１】
2008035706.tif 000003
【図２】
2008035706.tif 000004
【図３】
2008035706.tif 000005
【図４】
2008035706.tif 000006
【図５】
2008035706.tif 000007
【図６】
2008035706.tif 000008
【図７】
2008035706.tif 000009
【図８】
2008035706.tif 000010
【図９】
2008035706.tif 000011
【図１０】
2008035706.tif 000012
【図１１】
2008035706.tif 000013
【図１２】
2008035706.tif 000014
【図１３】
2008035706.tif 000015
【図１４】
2008035706.tif 000016
【図１５】
2008035706.tif 000017
【図１６】
2008035706.tif 000018
【図１７】
2008035706.tif 000019
【図１８】
2008035706.tif 000020
【図１９】
2008035706.tif 000021
【図２０】
2008035706.tif 000022
【図２１】
2008035706.tif 000023
【図２２】
2008035706.tif 000024
【図２３】
2008035706.tif 000025
【図２４】
2008035706.tif 000026
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
複数のチャネルの中から他の無線通信装置が割り当てたチャネルにて信号を受信する無線通信装置において、
前記複数のチャネルの中から割り当ての候補となる要求チャネルを選択し、所定のチャネルの組から今回の選択の結果への差分を求め、前記差分を表す差分情報を生成する更新チャネル選択部と、
前記更新チャネル選択部が生成した差分情報を、前記他の無線通信装置に送信する送信信号に多重化するマルチプレクス部と
を具備する無線通信装置。
【請求項２】
前記更新チャネル選択部は、前記複数のチャネルの中から割り当ての候補となる要求チャネルを選択し、前回の選択の結果から今回の選択の結果への差分を求め、前記差分を表す差分情報を生成する請求項１に記載の無線通信装置。
【請求項３】
前記更新チャネル選択部は、前記複数のチャネルの中から割り当ての候補となる要求チャネルを選択し、前記他の無線通信装置が割り当てているチャネルの組から前記選択した要求チャネルの組への差分を求め、前記求めた差分を表す差分情報を生成する請求項１に記載の無線通信装置。
【請求項４】
前記差分情報は、削除されるチャネルを表す情報を含み、前記削除されるチャネルの情報としては、差分を求める際の比較元のチャネル構成内で一意となる識別情報を用いる請求項１に記載の無線通信装置。
【請求項５】
前記他の無線通信装置において前記要求チャネルの識別情報各々が記憶されたバッファ領域の識別情報を、前記他の無線通信装置からの受信信号より分離するバッファ識別分離部を具備し、
前記更新チャネル選択部は、前記差分情報のうちで削除されたチャネルを表す情報に、前記バッファ識別分離部が分離した識別情報を用いる
請求項１に記載の無線通信装置。
【請求項６】
前記他の無線通信装置において前記割り当てたられたチャネル各々が記憶されたバッファ領域の識別情報を、前記他の無線通信装置からの受信信号より分離するバッファ識別分離部を具備し、
前記更新チャネル選択部は、前記差分情報のうちで削除されたチャネルを表す情報に、前記バッファ識別分離部が分離した識別情報を用いる
請求項３に記載の無線通信装置。
【請求項７】
各チャネルの受信品質を測定する受信品質測定部を具備し、
前記更新チャネル選択部は、前記受信品質測定部の測定結果に基づき、要求チャネルを選択する請求項１に記載の無線通信装置。
【請求項８】
前記更新チャネル選択部は、前記差分のうちで追加されたチャネルの受信品質を前記受信品質測定部が測定した受信品質から抽出し、
前記マルチプレクス部は、前記差分情報とともに、前記更新チャネル選択部が抽出した受信品質を表す情報を、前記送信信号に多重化する
請求項７に記載の無線通信装置。
【請求項９】
前記更新チャネル選択部は、前記選択した要求チャネルの受信品質を前記受信品質測定部が測定した受信品質から抽出し、
前記マルチプレクス部は、前記差分情報とともに、前記更新チャネル選択部が抽出した受信品質を表す情報を、前記送信信号に多重化する
請求項７に記載の無線通信装置。
【請求項１０】
前記更新チャネル選択部は、前記選択した要求チャネルの受信品質を前記受信品質測定部が測定した受信品質から抽出して、前記抽出した受信品質の平均値を算出し、
前記マルチプレクス部は、前記差分情報とともに、前記更新チャネル選択部が算出した受信品質の平均値を表す情報を、前記送信信号に多重化する
請求項７に記載の無線通信装置。
【請求項１１】
複数のチャネルの中から他の無線通信装置に割り当てたチャネルにて、前記他の無線通信装置に信号を送信する無線通信装置において、
前記他の無線通信装置から受信した受信信号より、前記他の無線通信装置に割り当てるチャネルの候補となる要求チャネルの組と前回の要求チャネルの組との差分を表す差分情報を分離するデマルチプレクス部と、
前記差分情報に基づき要求チャネルの組を再構成する要求チャネル再構成部と、
前記要求チャネル再構成部が再構成した要求チャネルの組に基づいて、前記他の無線通信装置に割り当てるチャネルを選択するスケジューラ部と
を具備する無線通信装置。
【請求項１２】
前記要求チャネル再構成部は、前記再構成した組の各要求チャネルの識別情報をバッファ領域に格納し、要求チャネルの組を再構成する際に、前回の再構成時に前記バッファ領域に格納された各要求チャネルの識別情報を用い、
前記各要求チャネルの識別情報が記憶されたバッファ領域各々の識別情報を、前記他の無線通信装置への送信信号に多重化するマルチプレクス部を具備する
請求項１１に記載の無線通信装置。
【請求項１３】
複数のチャネルの中から他の無線通信装置に割り当てたチャネルにて、前記他の無線通信装置に送信する無線通信装置において、
前記他の無線通信装置から受信した受信信号より、前記他の無線通信装置に割り当てるチャネルの候補となる要求チャネルの組と前回の前記他の無線通信装置に割り当てたチャネルの組との差分を表す差分情報を分離するデマルチプレクス部と、
前記差分情報に基づき要求チャネルの組を再構成する要求チャネル再構成部と、
前記要求チャネル再構成部が再構成した要求チャネルの組に基づいて、前記他の無線通信装置に割り当てるチャネルを選択するスケジューラ部と
を具備する無線通信装置。
【請求項１４】
前記要求チャネル再構成部は、前記スケジューラ部が前記他の無線通信装置に割り当てた各チャネルの識別情報をバッファ領域に格納し、要求チャネルの組を再構成する際に、前記バッファ領域が格納している各チャネルの識別情報を用い、
前記各チャネルの識別情報が記憶されたバッファ領域各々の識別情報を、前記他の無線通信装置への送信信号に多重化するマルチプレクス部を具備する
請求項１３に記載の無線通信装置。
【請求項１５】
第１の無線通信装置と複数のチャネルの中から前記第１の無線通信装置が割り当てたチャネルにて信号を受信する第２の無線通信装置とからなる無線通信システムにおいて、
前記第２の無線通信装置は、
前記複数のチャネルの中から割り当ての候補となる要求チャネルを選択し、前回の選択の結果から今回の選択の結果への差分を求め、前記求めた差分を表す差分情報を生成する更新チャネル選択部と、
前記更新チャネル選択部が生成した差分情報を、前記第１の無線通信装置に送信する送信信号に多重化するマルチプレクス部と
を具備し、
前記第１の無線通信装置は、
前記第２の無線通信装置からの受信信号より、前記差分情報を分離するデマルチプレクス部と、
前記デマルチプレクス部が分離した差分情報に基づき要求チャネルの組を再構成する要求チャネル再構成部と、
前記要求チャネル再構成部が再構成した要求チャネルの組に基づいて、前記第２の無線通信装置に割り当てるチャネルを選択するスケジューラ部と
を具備する
無線通信システム。
【請求項１６】
第１の無線通信装置と複数のチャネルの中から前記第１の無線通信装置により割り当てられたチャネルを受信する第２の無線通信装置とからなる無線通信システムにおいて、
前記第２の無線通信装置は、
前記複数のチャネルの中から割り当ての候補となる要求チャネルを選択し、前記第１の無線通信装置が割り当てているチャネルの組から前記選択した要求チャネルの組への差分を求め、前記求めた差分を表す差分情報を生成する更新チャネル選択部と、
前記更新チャネル選択部が生成した差分情報を、前記第１の無線通信装置に送信する送信信号に多重化するマルチプレクス部と
を具備し、
前記第１の無線通信装置は、
前記第２の無線通信装置からの受信信号より、前記差分情報を分離するデマルチプレクス部と、
前記デマルチプレクス部が分離した差分情報に基づき要求チャネルの組を再構成する要求チャネル再構成部と、
前記要求チャネル再構成部が再構成した要求チャネルの組に基づいて、前記第２の無線通信装置に割り当てるチャネルを選択するスケジューラ部と
を具備する
無線通信システム。
【請求項１７】
第１の無線通信装置と複数のチャネルの中から前記第１の無線通信装置が割り当てたチャネルにて信号を受信する第２の無線通信装置とからなる無線通信システムにおける無線通信方法であって、
前記第２の無線通信装置が、前記複数のチャネルの中から割り当ての候補となる要求チャネルを選択し、前回の選択の結果から今回の選択の結果への差分を求め、前記求めた差分を表す差分情報を生成する第１の過程と、
前記第２の無線通信装置が、前記第１の過程にて生成された差分情報を、送信信号に多重化し、前記送信信号を前記第１の無線通信装置に送信する第２の過程と、
前記第１の無線通信装置が、前記第２の過程にて送信された信号を受信し、前記第２の過程にて送信された信号から前記差分情報を分離する第３の過程と、
前記第１の無線通信装置が、前記第３の過程にて分離された差分情報に基づき要求チャネルの組を再構成する第４の過程と、
前記第１の無線通信装置が、前記第４の過程にて再構成された要求チャネルの組に基づいて、前記第２の無線通信装置に割り当てるチャネルを選択する第５の過程と、
前記第１の無線通信装置が、前記第５の過程にて選択されたチャネルにて、前記第２の無線通信装置への送信データを送信する第６の過程と
を具備する無線通信方法。
【請求項１８】
第１の無線通信装置と複数のチャネルの中から前記第１の無線通信装置が割り当てたチャネルにて信号を受信する第２の無線通信装置とからなる無線通信システムにおける無線通信方法であって、
前記第２の無線通信装置が、前記複数のチャネルの中から割り当ての候補となる要求チャネルを選択し、前記第１の無線通信装置が割り当てているチャネルの組から今回の選択の結果への差分を求め、前記求めた差分を表す差分情報を生成する第１の過程と、
前記第２の無線通信装置が、前記第１の過程にて生成された差分情報を、送信信号に多重化し、前記送信信号を前記第１の無線通信装置に送信する第２の過程と、
前記第１の無線通信装置が、前記第２の過程にて送信された信号を受信し、前記第２の過程にて送信された信号から前記差分情報を分離する第３の過程と、
前記第１の無線通信装置が、前記第３の過程にて分離された差分情報に基づき要求チャネルの組を再構成する第４の過程と、
前記第１の無線通信装置が、前記第４の過程にて再構成された要求チャネルの組に基づいて、前記第２の無線通信装置に割り当てるチャネルを選択する第５の過程と、
前記第１の無線通信装置が、前記第５の過程にて選択されたチャネルにて、前記第２の無線通信装置への送信データを送信する第６の過程と
を具備する無線通信方法。
【請求項１９】
複数のチャネルの中から他の無線通信装置が割り当てたチャネルにて信号を受信する無線通信装置における無線通信方法であって、
前記無線通信装置が、前記複数のチャネルの中から割り当ての候補となる要求チャネルを選択し、所定のチャネルの組から今回の選択の結果への差分を求め、前記差分を表す差分情報を生成する第１の過程と、
前記無線通信装置が、前記第１の過程にて生成した差分情報を、前記他の無線通信装置に送信する送信信号に多重する第２の過程と
を具備する無線通信方法。
【国際調査報告】
2008035706.tif 000027
2008035706.tif 000028
2008035706.tif 000029